(57)【要約】【課題】使用済の放射線防護服を焼却した際に生じる排ガス中の放射性物質の含有量を環境に無害なレベルまで抑制する。【解決手段】廃棄物焼却システム１００は、廃棄物を焼却する焼却炉１０と、焼却炉１０から排出される排ガスを通過させる放射性物質除去フィルタ１４と、少なくとも放射性物質除去フィルタ１４を通過した後の排ガスを外気に排出する煙突１５とを備えている。放射性物質除去フィルタ１４は、前記排ガスに含有される放射性物質を吸着するゼオライト粒子を濾材とした濾過器である。【選択図】図１
2013174543.tif 000002
【特許請求の範囲】
【請求項１】
廃棄物を焼却する焼却炉と、前記焼却炉から排出される排ガスを通過させるフィルタ設備と、少なくとも前記フィルタ設備を通過した後の排ガスを外気に排出する排出設備とを備えた廃棄物焼却システムにおいて、
前記フィルタ設備は、前記排ガスに含有される放射性物質を吸着するゼオライトを濾材とした濾過器であることを特徴とする廃棄物焼却システム。
【発明の詳細な説明】
【技術分野】
【０００１】
本発明は、廃棄物を焼却する廃棄物焼却システムに関する。
【背景技術】
【０００２】
周知の廃棄物焼却システムは、廃棄物を焼却する焼却炉と、焼却炉から排出される排ガスを浄化するための浄化設備とを備えている。この浄化設備としては、例えば、排ガスに含まれる酸性有害ガスを除去する半乾式洗浄塔、排ガス中のダイオキシンを除去するリアクター、排ガスに含まれる窒素酸化物を除去する触媒酸化塔、排ガスに含まれる粉塵を除去するバグフィルタ等が知られている。
【先行技術文献】
【特許文献】
【０００３】
【特許文献１】特開平５−２３１６３０号公報（１９９３年９月７日公開）
【発明の概要】
【発明が解決しようとする課題】
【０００４】
ところで、従来の廃棄物焼却システムにて処理が困難な産業廃棄物として、使用済の放射線防護服が知られている。これは、使用済の放射線防護服を焼却炉にて焼却した場合、焼却炉から生じる排ガスに放射性物質（例えば放射性セシウム）が含まれてしまうことになるが、前述した浄化設備の各々では排ガスから放射性物質を除去することが困難であり、放射性物質の含まれた排ガスを外気に排出してしまうという問題が生じるためである。それゆえ、従来では、このような問題を生じさせないために、使用済の放射能防護服については、廃棄物焼却システムにて処理せずに、埋没処分がなされることが通常であった。
【０００５】
しかし、大規模な放射線施設（例えば原子力発電所）にて放射能漏れの事故が生じた場合、使用済の放射線防護服が大量に生じ、埋設処分では処分しきれずに限界が生じていた。そこで、使用済の放射線防護服を大量に焼却しても、排ガス中の放射性物質の含有量を環境に無害なレベルまで抑制でき、使用済の放射線防護服を問題なく焼却処分できる廃棄物焼却システムが要望されている。
【０００６】
本発明は、以上の課題に鑑みてなされたものであり、使用済の放射線防護服等の放射能汚染廃棄物を大量に焼却しても、焼却によって生じる排ガス中の放射性物質の含有量を環境に無害なレベルまで抑制できる廃棄物焼却システムを提供することを目的としている。
【課題を解決するための手段】
【０００７】
前記目的を達成するために、本発明は、廃棄物を焼却する焼却炉と、前記焼却炉から排出される排ガスを通過させるフィルタ設備と、少なくとも前記フィルタ設備を通過した後の排ガスを外気に排出する排出設備とを備えた廃棄物焼却システムにおいて、前記フィルタ設備は、前記排ガスに含有される放射性物質を吸着するゼオライトを濾材とした濾過器であることを特徴とする。
【発明の効果】
【０００８】
本発明の構成によれば、前記ゼオライトに前記排ガス中の放射性物質を吸着させることができるため、前記排ガス中の放射性物質の含有量を環境に無害なレベルまで抑制した上で前記排ガスを外気に排出させることが可能になるという効果を奏する。
【図面の簡単な説明】
【０００９】
【図１】本発明の一実施形態の廃棄物焼却システムを示した模式図である。
【図２】図１に示した廃棄物焼却システムに含まれる放射性物質除去フィルタを示した模式図である。
【発明を実施するための形態】
【００１０】
以下、本発明の実施の形態について図に基づいて詳細に説明する。図１は、本発明の一実施形態の廃棄物焼却システム（廃棄物焼却プラント）の全体構成を示す模式図である。
【００１１】
図１に示すように、本実施形態の廃棄物焼却システム１００は、焼却炉１０、廃熱ボイラ１１、半乾式洗浄塔１２、バグフィルタ１３、放射性物質除去フィルタ１４、煙突（排出設備）１５を備えている。
【００１２】
焼却炉１０は、周知のロータリーキルン式の廃棄物焼却炉である。具体的には、不図示の廃棄物クレーンによって廃棄物が投入口１０ａから焼却炉１０の内部に投入され、焼却炉１０の燃焼室１０ｂにおいて９００℃以上で廃棄物が燃やされるようになっている。焼却後の残留灰は、焼却炉１０の底部から取り出され、コンベアによって残留灰貯蔵部（不図示）に搬送される。なお、本実施形態の焼却炉１０は、ロータリーキルン式であったが、もちろんロータリーキルン式に限られるものではなく、ストーカー式等の他の周知の方式の焼却炉であってもよい。
【００１３】
廃熱ボイラ１１は、燃焼室１０ｂにて廃棄物が燃やされることによって生じる高温状態の排ガスを流入し、この排ガスから熱を回収し、回収した熱によって高温・高圧の蒸気を発生させる装置である。なお、図１では、焼却炉１０から廃熱ボイラ１１へ排ガスを流入させるための流路（ダクト等）が図示されていないものの、実際には備えられているものとする。
【００１４】
半乾式洗浄塔１２は、半乾式の脱硫設備であり、焼却炉１０から排出されて廃熱ボイラ１１を経由した前記排ガスを流入し、この排ガスに含まれる酸性有害ガスを除去するものである。
【００１５】
バグフィルタ１３は、半乾式洗浄塔１２による処理後の排ガスを流入し、この排ガスから粉塵を除去する集塵装置である。バグフィルタ１３は、周知の集塵用の濾過器であって、金網（ネット）からなるバグケージ（かご）に濾材を収容したフィルタバグ（フィルタ）を複数有しており、濾材としてガラスウールが用いられている。このフィルタバグに排ガスを濾過（通過）させることによって、排ガス内の粉塵をフィルタバグに堆積させ、排ガスから粉塵を除くようになっている。
【００１６】
放射性物質除去フィルタ（フィルタ設備）１４は、バグフィルタ１３による処理後の排ガスを流入し、この排ガスから放射性物質を除去する装置である。放射性物質除去フィルタ１４は、その構造自体はバグフィルタ１３と同一であるが、濾材をバグフィルタ１３とは異ならせたものである。以下、放射性物質除去フィルタ１４について詳細に説明する。
【００１７】
図２は、図１の放射性物質除去フィルタ１４の一部分（図１の符号Ａにて示した部分）を示した模式図である。
【００１８】
放射性物質除去フィルタ１４は、図２に示すように、流入口１４１、ホッパ１４２、ロータリーバルブ１４３、ダストボックス１４４、ケーシング１４５、圧縮空気供給部１４６、フィルタバグ１４７を備えている。
【００１９】
流入口１４１は、バグフィルタ１３から送られてきた排ガスを内部に流入させるための入口である。ホッパ１４２は、後述する逆洗によりフィルタバグ１４７から払い落とされたダストを一次貯留するためのものである。ロータリーバルブ１４３は、回転することによりホッパ１４２に貯められたダストをダストボックス１４４に送る装置である。ダストボックス１４４は、ホッパ１４２から送られたダストを回収するものである。ケーシング１４５はフィルタバグ１４７を収容する収容スペースであり、一つのケーシング１４５に６つのフィルタバグ１４７が収容されている。圧縮空気供給部１４６は、逆洗のための圧縮空気を各フィルタバグ１４７に送るための配管である。
【００２０】
フィルタバグ１４７は円筒状のフィルタ部材であって、バグケージ１４７ａに濾材を収容してなるものである。バグケージ１４７ａは、金網（ネット）からなる円筒状のケージ（かご）であり、濾材を充填させるためのものである。バグケージ１４７ａに充填させる濾材としてはゼオライト粒子が使用される。
【００２１】
なお、ゼオライト粒子としては、バグケージ１４７ａの網目（開口部）のサイズに応じた粒子径を有するものであればよく、当該粒子径として数ミリ〜数十ミリの範囲であればよい。すなわち、ゼオライト粒子は、バグケージ１４７ａの網目（開口部）を通過しないだけの粒子径を有していればよい。
【００２２】
以上にて示した放射性物質除去フィルタ１４において、バグフィルタ１３から送られてきた排ガスは、ゼオライト粒子を濾材として充填したフィルタバグ１４７を通過することになる。ここで、ゼオライト粒子は放射性物質（一例として放射性セシウム）を吸着する性質を有している。したがって、前記排ガスに含有される放射性物質は、放射性物質除去フィルタ１４によって吸着除去されることになる。
【００２３】
なお、長期間使用すればゼオライト粒子の吸着能力が劣化するため、定期的にゼオライト粒子の交換が行われる。また、長期間の使用によって仮にフィルタバグ１４７にダストが蓄積されてきた場合、圧縮空気供給部１４６から圧縮空気をフィルタバグ１４７に流入させてフィルタバグ１４７を逆洗することにより、フィルタバグ１４７に付着したダストをホッパ１４２へ払い落とすことができる。但し、本実施形態では、バグフィルタ１３にてダストの除かれた排ガスが放射性物質除去フィルタ１４に流入するようになっているため、フィルタバグ１４７のダスト蓄積量の増加ペースは遅いものと考えられる。
【００２４】
そして、放射性物質除去フィルタ１４を通過した排ガスは、図１に示すように、煙突１５によって外気に排出されるようになっている。
【００２５】
以上にて示したように、本実施形態の廃棄物焼却システム１００は、廃棄物を焼却する焼却炉１０と、焼却炉１０から排出される排ガスを通過させる放射性物質除去フィルタ１４と、少なくとも放射性物質除去フィルタ１４を通過した後の排ガスを外気に排出する煙突１５とを備えており、放射性物質除去フィルタ１４は、前記排ガスに含有される放射性物質を吸着するゼオライト粒子を濾材とした濾過器である。
【００２６】
このような構成によれば、ゼオライトに前記排ガス中の放射性物質を吸着させることができるため、前記排ガス中に放射性物質が含まれていたとしても、放射性物質の含有量を環境に無害なレベルまで抑制した上で前記排ガスを外気に排出させることができる。それゆえ、焼却炉１０において使用済の放射線防護服を大量に焼却することが可能になる。
【００２７】
また、本実施形態の廃棄物焼却システム１００において、放射性物質除去フィルタ１４は、バグフィルタ１３よりも後段に取り付けられており、バグフィルタ１３にて処理された後の排ガスを処理するようになっている。それゆえ、バグフィルタ１３にて煤が除かれた排ガスを放射性物質除去フィルタ１４に送りこむことができるため、煤によってゼオライトが汚れてしまうという不都合を抑制できる。
【００２８】
なお、本実施形態の廃棄物焼却システム１００は、放射性セシウムに汚染された放射線防護服の焼却処分に利用できるのみならず、ゼオライトによって吸着可能な放射性物質（放射性セシウム以外の放射性物質）に汚染された産業廃棄物の焼却処分にも当然利用可能である。
【００２９】
なお、廃棄物焼却システムは、図１にて示されている各設備以外の周知の設備を適宜備えていてもよい。例えば、排ガス中のダイオキシンを除去するリアクター、排ガスに含まれる窒素酸化物を除去する触媒酸化塔等が備えられていてもよい。
【００３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３１】
本発明は、廃棄物を焼却するための廃棄物焼却システムに利用できる。
【符号の説明】
【００３２】
１０    焼却炉
１１    廃熱ボイラ
１２    半乾式洗浄塔
１３    バグフィルタ
１４    放射性物質除去フィルタ（フィルタ設備，濾過器）
１５    煙突（排出設備）
１００    廃棄物焼却システム
１４７    フィルタバグ
１４７ａ  バグケージ
【図１】
2013174543.tif 000003
【図２】
2013174543.tif 000004